(57)【特許請求の範囲】
【請求項１】
樋管の本川側出口の上部及び下部にそれぞれ水平軸心を支点として開閉可能な上下２枚の扉体からなるゲートを設け、前記上部の扉体には上部の水平軸心の回りに回転自在に上部トルクアームを固着し、前記下部の扉体には下部の水平軸心の回りに回転自在に下部トルクアームを固着し、前記上部トルクアームと下部トルクアームとを、下部の扉体が本川側に開放したときに上部の扉体も本川側に開放するように連動アームで連結したことを特徴とする樋管用逆流防止ゲート。
【請求項２】
上部の扉体には上部の水平軸心の回りに回転自在にカウンタウエイトを固着し、下部の扉体には下部の水平軸心の回りに回転自在にバランスウエイトを固着したことを特徴とする請求項１記載の樋管用逆流防止ゲート。
【発明の詳細な説明】
【０００１】
【発明の属する技術分野】
本発明は、河川に設けられる樋管等の出口に、逆流防止の目的で設置される無動力ゲートに関する。
【０００２】
【従来の技術】
従来、樋管出口等に逆流防止の目的として設置される無動力ゲートは上部ヒンジ方式のフラップゲートが一般的であり、且つ多く採用されている。
【０００３】
図９及び図１０は従来の無動力式逆流防止ゲートの構造を示す縦断面図及び正面図である。図において、２１は吊り金具２２によって開閉自在に樋管出口に設置された扉体、２３は戸当たりである。このゲートでは、上流側水位＞下流側水位の場合、水圧によって扉体２１が少し開く程度で排水する程度で排水するため、上流側のゴミ等がはききれずにａ部にたまってしまい、下流側水位が高くなったときにゴミ等で完全に扉体２１が閉まらなくなり逆流している。また、扉体２１の閉塞時に下流側のｂ部に潟土が堆積し、上流側水位が高くなっても扉体２１が開門しなくなるという問題があった。
【０００４】
このように、当該ゲートの利点は、人工的な操作を要しない（無動力式）という点であるが、常時閉状態（樋管排水断面を覆う形）で設置している為、通常の排水状態は必ずしも良好とは言えず、また、わずかな夾雑物等によって不完全閉塞ないし開閉不能を起こしやすい。
【０００５】
【発明が解決しようとする課題】
本発明は、前記従来の技術に対し、次の事項の解決を図ろうとするものである。１．常時の排水状態を改善する（通常開状態の確保）。
上流側水位が下流側水位より高い場合は、ゲートを観音式に開放し、上流側の水を放流する。
また、下流側水位が極めて低い場合は全開状態とする事により良好な排水環境をつくる。
【０００６】
２．夾雑物等による開閉障害を出来るだけ少なくする。
【０００７】
【課題を解決するための手段】
前記課題を解決するため、本発明の樋管用逆流防止ゲートは、樋管の本川側出口の上部及び下部にそれぞれ水平軸心を支点として開閉可能な上下２枚の扉体からなるゲートを設け、前記上部の扉体には上部の水平軸心の回りに回転自在に上部トルクアームを固着し、前記下部の扉体には下部の水平軸心の回りに回転自在に下部トルクアームを固着し、前記上部トルクアームと下部トルクアームとを、下部の扉体が本川側に開放したときに上部の扉体も本川側に開放するように連動アームで連結したものである。
【０００８】
このゲートにおいて、上部の扉体には上部の水平軸心の回りに回転自在にカウンタウエイトを固着し、下部の扉体には下部の水平軸心の回りに回転自在にバランスウエイトを固着した構成とすることができる。
【０００９】
【発明の実施の形態】
以下、本発明を実施例を参照しながら具体的に説明する。
図１は本発明の実施例を示す閉扉時の側面図、図２はその正面図、図３および図４は扉体３，４の昼間部の側部水密部及び上下部側部水密部の拡大図である。これらの図において、１は上部ヒンジ、２は下部ヒンジ、３は上部扉体、４は下部扉体、５は扉受、６は上部アーム、７は下部アーム、８は上部ウエイト（カウンタウエイト）、９は下部ウエイト（バランスウエイト）、１０は連結アーム、１１は上部戸当たり、１２は下部戸当たり、１３は上部水密ゴム、１４は下部水密ゴム、１５は中間水密ゴム、１６は側部水密板、１７は側部水密ゴム、１８は上下の軸、１９は水密枠、２０は回転側部水密ゴムである。
【００１０】
本実施例において、上下の扉体３，４は側部のアーム７，８に固定され、このアーム７，８を連結アーム１０で連結し、回転させる事により、２枚の扉体３，４が観音式に相互に一定の角度で開閉動作できる機構とする。
【００１１】
上記機構のゲートに於いて、上・下のアーム７，８にウエイト８，９を各々一定角度で取り付け、各扉体３，４の重量に合わせて調整する事で上・下の扉体３，４の回転力を調整する。
【００１２】
図５は扉体が閉じているときの側面図、図６は扉体が全開したときの側面図である。
【００１３】
このような調整機構を備えることで、上・下扉体３，４の回転力を適切に調整し、樋管の上・下流側水位変動に応じて、自動的、且つ無動力でゲートの開閉を行なう。
【００１４】
常時は上・下部ゲート共に開状態とした上、本川・支川の僅かな水位差によって開閉作動し、出水時（本川側水位上昇時）は確実に全閉状態となり、支川（樋管）側への逆流を確実に防止する。
【００１５】
図７は、本川側の水位が低下していくときのゲートの動作状態を示すものである。本川側の水位が低下すると、下部扉体４に水圧が掛かり、本川側に下部扉体４が傾く。下部扉体４が傾くと、連結アーム１０により上部扉体３も開放していく。本川側の水位が低下していくと、最終的には図７（ｅ）に示すように扉体３，４は全開状態となる。
【００１６】
図８は、逆に本川側の水位が上昇していった場合のゲートの動作状態を示すものである。図８（ｂ）に示すように本川側の水位がわずか上昇すると、浮力が下部扉体４に作用して下部扉体４は全開状態から閉じる方向に上昇する。それに連動して、連結アーム１０の作用により上部扉体３も下降する。さらに本川側水位が上昇すると、それにつれて下部扉体４は上昇し、上部扉体３も下降してゲートは閉じていく。一定以上の水位差が生じると、図８（ｅ）に示すように全閉状態となる。
【００１７】
【発明の効果】
上述したように、本発明によれば、常時は上・下部扉体は共に開状態とした上、本川・支川の僅かな水位差によって開閉作動し、出水時（本川側水位上昇時）は確実に全閉状態となり、支川（樋管）側への逆流を確実に防止することができる。
【００１８】
１）常時、本川側水位の低い時は、開状態とする事で良好な排水機能を確保する。
僅かな水位差であっても下部・浮体式転倒ゲートを越流状態で排水できる為、樋管内に芥塵の残留が発生させない。
【００１９】
２）上・下部ゲートの重量バランスを適切に確保する事で、僅かな水位差で確実に閉作動させると同時に、本川側水位が内水位を超えている場合は常に全閉状態を確保することができる。
【００２０】
３）下部ゲートのヒンジ部分等に異物等が残留した場合でも、自然排水等で容易に排除出来、開閉動作に支障をきたさないゲート形状・構造とすることができる。
【図面の簡単な説明】
【図１】  本発明の実施例を示す側断面図である。
【図２】  本発明の実施例の正面図である。
【図３】  扉体中間部の側部水密部の拡大図である。
【図４】  扉体中間部の上下部側部水密部の拡大図である。
【図５】  本実施例における扉体が閉じたときの側面図である。
【図６】  本実施例における扉体が全開したときの側面図である。
【図７】  本実施例において、本川側の水位が低下していくときの動作を示す流れ図である。
【図８】  本実施例において、本川側の水位が上昇していくときの動作を示す流れ図である。
【図９】  従来のゲートの構造を示す側面図である。
【図１０】  従来のゲートの構造を示す正面図である。
【符号の説明】
１  上部ヒンジ、２  下部ヒンジ、３  上部扉体、４  下部扉体、５  扉受、６上部アーム、７  下部アーム、８  上部ウエイト（カウンタウエイト）、９  下部ウエイト（バランスウエイト）、１０  連結アーム、１１  上部戸当たり、１２  下部戸当たり、１３  上部水密ゴム、１４  下部水密ゴム、１５  中間水密ゴム、１６  側部水密板、１７  側部水密ゴム、１８  上下の軸、１９  水密枠、２０  回転側部水密ゴム
【図１】
0003822715.tif 000002
【図２】
0003822715.tif 000003
【図３】
0003822715.tif 000004
【図４】
0003822715.tif 000005
【図５】
0003822715.tif 000006
【図６】
0003822715.tif 000007
【図７】
0003822715.tif 000008
【図８】
0003822715.tif 000009
【図９】
0003822715.tif 000010
【図１０】
0003822715.tif 000011